(57)【要約】【課題】位置情報の取得を効率よく行うこと。【解決手段】本願に係る取得制御プログラムは、取得手順と取得制御手順とを、ユーザが利用する端末装置に実行させる。取得手順は、端末装置にインストール済みのアプリケーションであって、各々が当該端末装置の位置情報を利用する複数のアプリケーションに関する情報を取得する。取得制御手順は、取得手順によって取得された複数のアプリケーションに関する情報に基づいて、当該複数のアプリケーションによる位置情報の取得を制御する。【選択図】図１
2019128156.tif 000002
【特許請求の範囲】
【請求項１】
ユーザが利用する端末装置で実行される取得制御プログラムであって、
前記端末装置にインストール済みのアプリケーションであって、各々が当該端末装置の位置情報を利用する複数のアプリケーションに関する情報を取得する取得手順と、
前記取得手順によって取得された複数のアプリケーションに関する情報に基づいて、当該複数のアプリケーションによる位置情報の取得を制御する取得制御手順と、
を前記端末装置に実行させることを特徴とする取得制御プログラム。
【請求項２】
前記取得手順は、
前記複数のアプリケーションに関する情報として、各々のアプリケーションに設定された位置情報取得のタイミングを取得し、
前記取得制御手順は、
前記各々のアプリケーションに設定された位置情報取得のタイミングに基づいて、当該複数のアプリケーションによる位置情報の取得を制御する、
ことを特徴とする請求項１に記載の取得制御プログラム。
【請求項３】
前記取得制御手順は、
前記複数のアプリケーションの各々の電力消費量に基づいて、当該複数のアプリケーションによる位置情報の取得を制御する、
ことを特徴とする請求項１又は２に記載の取得制御プログラム。
【請求項４】
前記取得制御手順は、
前記端末装置にインストールされたアプリケーションの数に基づいて、前記複数のアプリケーションによる位置情報の取得を制御する、
ことを特徴とする請求項１〜３のいずれか一つに記載の取得制御プログラム。
【請求項５】
前記複数のアプリケーションに関する情報に基づいて、当該複数のアプリケーションによって取得された位置情報のサーバへの送信を制御する送信手順、
をさらに前記端末装置に実行させることを特徴とする請求項１〜４のいずれか一つに記載の取得制御プログラム。
【請求項６】
前記送信手順は、
前記複数のアプリケーションによって取得された位置情報のうち、前記サーバへ送信する情報量を制御する、
ことを特徴とする請求項５に記載の取得制御プログラム。
【請求項７】
前記送信手順は、
前記複数のアプリケーションによって取得された位置情報を前記サーバへ送信する頻度を制御する、
ことを特徴とする請求項５又は６に記載の取得制御プログラム。
【請求項８】
自装置にインストール済みのアプリケーションであって、各々が当該自装置の位置情報を利用する複数のアプリケーションに関する情報を取得する取得部と、
前記取得部によって取得された複数のアプリケーションに関する情報に基づいて、当該複数のアプリケーションによる位置情報の取得を制御する取得制御部と、
を備えたことを特徴とする取得制御装置。
【請求項９】
ユーザが利用する端末装置によって実行される取得制御方法であって、
前記端末装置にインストール済みのアプリケーションであって、各々が当該端末装置の位置情報を利用する複数のアプリケーションに関する情報を取得する取得工程と、
前記取得工程によって取得された複数のアプリケーションに関する情報に基づいて、当該複数のアプリケーションによる位置情報の取得を制御する取得制御工程と、
を含んだことを特徴とする取得制御方法。
【発明の詳細な説明】
【技術分野】
【０００１】
本発明は、取得制御プログラム、取得制御装置及び取得制御方法に関する。
【背景技術】
【０００２】
従来、ユーザが所有する端末装置から位置情報を取得し、取得した位置情報に基づいて各種情報処理を行う技術が提案されている。
【０００３】
位置情報に関する技術として、端末装置にインストールされた複数のアプリケーションによって取得された位置情報を組み合わせることで、端末装置の位置の履歴を詳細に作成する技術が知られている。
【先行技術文献】
【特許文献】
【０００４】
【特許文献１】特開２０１５−４９０４９号公報
【発明の概要】
【発明が解決しようとする課題】
【０００５】
しかしながら、上記の従来技術では、位置情報の取得を効率よく行うことができるとは限らない。具体的には、上記の従来技術では、各アプリケーションによって位置情報を取得する処理が継続的に行われる。このため、従来技術では、例えば複数のアプリケーションが動作している場合には重複する位置情報を取得してしまったり、一方で、動作するアプリケーションが存在しない場合には位置情報を取得できなかったりするなど、位置情報を効率良く取得できないおそれがある。
【０００６】
本願は、上記に鑑みてなされたものであって、位置情報の取得を効率よく行うことができる取得制御プログラム、取得制御装置及び取得制御方法を提供することを目的とする。
【課題を解決するための手段】
【０００７】
本願に係る取得制御プログラムは、ユーザが利用する端末装置で実行される取得制御プログラムであって、前記端末装置にインストール済みのアプリケーションであって、各々が当該端末装置の位置情報を利用する複数のアプリケーションに関する情報を取得する取得手順と、前記取得手順によって取得された複数のアプリケーションに関する情報に基づいて、当該複数のアプリケーションによる位置情報の取得を制御する取得制御手順と、を実行させることを特徴とする。
【発明の効果】
【０００８】
実施形態の一態様によれば、位置情報の取得を効率よく行うことができるという効果を奏する。
【図面の簡単な説明】
【０００９】
【図１】図１は、実施形態に係る取得制御処理の一例を示す図である。
【図２】図２は、実施形態に係る取得制御処理の一例を説明する図である。
【図３】図３は、実施形態に係る取得制御システムの構成例を示す図である。
【図４】図４は、実施形態に係るユーザ端末の構成例を示す図である。
【図５】図５は、実施形態に係るアプリテーブルの一例を示す図である。
【図６】図６は、実施形態に係る位置情報テーブルの一例を示す図である。
【図７】図７は、実施形態に係る管理サーバの構成例を示す図である。
【図８】図８は、実施形態に係るユーザ情報記憶部の一例を示す図である。
【図９】図９は、実施形態に係る位置情報記憶部の一例を示す図である。
【図１０】図１０は、実施形態に係る処理手順を示すフローチャートである。
【図１１】図１１は、ユーザ端末の機能を実現するコンピュータの一例を示すハードウェア構成図である。
【発明を実施するための形態】
【００１０】
以下に、本願に係る取得制御プログラム、取得制御装置及び取得制御方法を実施するための形態（以下、「実施形態」と呼ぶ）について図面を参照しつつ詳細に説明する。なお、この実施形態により本願に係る取得制御プログラム、取得制御装置及び取得制御方法が限定されるものではない。また、以下の各実施形態において同一の部位には同一の符号を付し、重複する説明は省略される。
【００１１】
〔１．取得制御処理の一例〕
まず、図１を用いて、実施形態に係る取得制御処理の一例について説明する。図１は、実施形態に係る取得制御処理の一例を示す図である。図１では、実施形態に係る取得制御装置において、実施形態に係る取得制御プログラムが実行する取得制御処理の一例について説明する。具体的には、図１では、実施形態に係る取得制御装置の一例であるユーザ端末１０が、インストール済みの複数のアプリケーション（以下、単に「アプリ」と表記する）であって、各々がユーザ端末１０の位置情報を利用する複数のアプリに関する情報を取得し、取得した情報に基づいて、複数のアプリによる位置情報の取得を制御する処理の一例を示す。
【００１２】
図１に示す管理サーバ１００は、ユーザ端末１０から送信される位置情報を取得し、取得した情報に基づいてユーザ端末１０にインストールされたアプリの制御等を行うサーバ装置である。実施形態に係る管理サーバ１００は、各ユーザを識別する識別情報と各ユーザの位置を示す情報とを対応付けて取得し、取得した情報を位置情報として蓄積する。例えば、管理サーバ１００は、ユーザが利用する端末装置にインストールされる複数のアプリの管理サーバであり、各々のアプリの利用に伴い、ユーザから定期的に位置情報を取得する。実施形態では、管理サーバ１００は、例えば、ユーザの位置情報を利用して交通案内を行うナビアプリに係るサービスや、通話やメッセージのやり取り等を行うコミュニケーションアプリに係るサービスや、ログインしたユーザに様々な情報を提供するポータルアプリに係るサービス等を管理する。なお、管理サーバ１００は、取得した位置情報等を、種々のサービスを提供する他の事業者に提供してもよい。
【００１３】
図１に示すユーザ端末１０は、スマートフォン等の情報処理端末である。実施形態では、ユーザ端末１０は、ユーザの一例であるユーザＵ０１によって利用される。以下では、ユーザ端末１０をユーザと読み替える場合がある。例えば、「ユーザＵ０１が位置情報を送信する」とは、実際には、「ユーザＵ０１が利用するユーザ端末１０が位置情報を送信する」ことを意味する場合がある。
【００１４】
ユーザ端末１０は、例えばＧＰＳ（Global  Positioning  System）等を利用して、自装置が所在する位置（例えば経度や緯度の数値等）を検知し、検知した位置を示す情報である位置情報を取得する。なお、位置情報は、位置を示す情報のみならず、その位置が検知された時間を含んでもよい。そして、ユーザ端末１０は、例えば利用するアプリの制御に従い、検知した位置情報を管理サーバ１００に送信する。具体的には、ユーザ端末１０は、管理サーバ１００によって管理されるアプリであるナビアプリやコミュニケーションアプリの制御（機能）に従い、定期的かつ継続的に位置情報を管理サーバ１００に送信する。ユーザ端末１０から送信される位置情報は、管理サーバ１００が有する記憶部に蓄積され、種々の情報処理に利用される。
【００１５】
上記のように、ユーザ端末１０には複数のアプリがインストールされ、複数のアプリの各々の制御によって位置情報が取得される。しかしながら、位置情報の取得処理や、取得した位置情報の管理サーバ１００への送信処理は、定期的かつ継続的に行われるため、ユーザ端末１０のリソース（例えばバッテリーやメモリ等）を消費する。例えば、アプリは、ある位置にユーザが所在した場合にプッシュ通知を行うためにバックグラウンドでも位置情報の取得を継続するなど、ユーザに意識させることなくユーザ端末１０のリソースを消費することがある。このような仕様は、ユーザにアプリのインストールを躊躇させたり、バッテリーを短時間で枯渇させてしまったりといった事態を招くおそれがある。
【００１６】
そこで、実施形態に係るユーザ端末１０は、インストール済みの複数のアプリに関する情報に基づいて、複数のアプリによる位置情報の取得を制御する。一例として、ユーザ端末１０は、各々のアプリに設定された位置情報取得のタイミングに基づいて、複数のアプリによる位置情報の取得を制御する。あるいは、ユーザ端末１０は、複数のアプリの各々の電力消費量に基づいて、複数のアプリによる位置情報の取得を制御する。かかる制御により、ユーザ端末１０は、位置情報の取得や送信処理の負荷を抑え、リソースの消費を軽減することができる。以下、図１を用いて、実施形態に係る取得制御処理の流れについて説明する。
【００１７】
まず、ユーザ端末１０は、ユーザＵ０１によってインストールされた複数のアプリの位置情報取得のタイミングの設定を参照する（ステップＳ０１）。図１の例では、ユーザ端末１０は、インストールされたアプリのうち、ナビアプリ、コミュニケーションアプリ及びポータルアプリの各々の位置情報取得のタイミングの設定を参照する。なお、図１では図示を省略しているが、ユーザ端末１０は、上記した３つのアプリのみならず、インストールされた他のアプリの位置情報取得のタイミングの設定を参照してもよい。
【００１８】
図１の例では、ナビアプリは、１０分に１度のタイミングで位置情報を取得するための処理を行うものとする。また、コミュニケーションアプリは、２０分に１度のタイミングで位置情報を取得するための処理を行う。また、ポータルアプリは、３０分に１度のタイミングで位置情報を取得するための処理を行う。
【００１９】
ユーザ端末１０は、これら複数のアプリの設定に基づいて、ユーザ端末１０全体における位置情報取得のタイミングを制御する（ステップＳ０２）。例えば、図１に示すように、ナビアプリとコミュニケーションアプリとは、２回のうち１回の取得タイミングが重複する。同様に、ナビアプリとポータルアプリとは、３回のうち１回の取得タイミングが重複する。このため、ユーザ端末１０は、重複するタイミングで位置情報を取得しようとするアプリについては、いずれかのアプリのみによって位置情報が取得されるよう制御する。
【００２０】
例えば、ユーザ端末１０は、所定のタイミングで取得される位置情報Ｂ０１について、ナビアプリによって取得されるよう制御し、重複するタイミングで位置情報を取得しようとするコミュニケーションアプリによって取得されないよう制御する。また、ユーザ端末１０は、位置情報Ｂ０１の次のタイミングで取得される位置情報Ｂ０２について、ポータルアプリによって取得されるよう制御し、重複するタイミングで位置情報を取得しようとするナビアプリによって取得されないよう制御する。また、ユーザ端末１０は、位置情報Ｂ０２の次のタイミングで取得される位置情報Ｂ０３について、コミュニケーションアプリによって取得されるよう制御し、重複するタイミングで位置情報を取得しようとするナビアプリによって取得されないよう制御する。このように、ユーザ端末１０は、重複するタイミングで位置情報取得が発生することを予め参照し、位置情報の取得をいずれかのアプリで実行するよう制御する。
【００２１】
そして、ユーザ端末１０は、取得された位置情報Ｂ０１〜Ｂ１０を管理サーバ１００に送信する（ステップＳ０３）。管理サーバ１００は、ユーザ端末１０から送信された位置情報Ｂ０１〜Ｂ１０を取得する（ステップＳ０４）。そして、管理サーバ１００は、取得した位置情報Ｂ０１〜Ｂ１０を利用して、種々のアプリの制御を行う。
【００２２】
ユーザ端末１０が取得する位置情報は、ユーザＵ０１の位置を示す情報であり、各アプリで共通して利用可能である。このため、ユーザ端末１０は、上記のように位置情報を取得する処理をいずれかのアプリで行うよう制御したとしても、位置情報は各々のアプリで共通して利用できるため、各々のアプリの挙動に影響を与えることがない。そして、ユーザ端末１０は、ユーザ端末１０にインストールされたアプリ全体として、位置情報の取得という処理の発生数を減少させることができるため、ユーザ端末１０のリソースの減少を抑制できる。
【００２３】
なお、位置情報取得のタイミングは、アプリに関する種々の情報に基づいて設定可能である。例えば、図１では、ユーザ端末１０は、各々のアプリの位置情報取得の設定に基づいて、各々のタイミングで位置情報を取得するアプリを決定した。しかし、アプリの構成や挙動は様々であり、ユーザ端末１０内には、リソースの消費が比較的高いアプリや低いアプリが混在する。このため、ユーザ端末１０は、リソースの消費に基づいて、位置情報取得のタイミングを決定してもよい。この点について、図２を用いて説明する。
【００２４】
図２は、実施形態に係る取得制御処理の一例を説明する図である。図２に係る第１状態は、例えばユーザ端末１０のＯＳ（Operating  System）の機能によって、実施形態に係る取得制御処理が実行される前の各アプリのバッテリー使用状況が示された状態を示す。
【００２５】
第１状態に示すように、実施形態に係る取得制御処理が実行される前では、ユーザ端末１０のリソースのうち、ナビアプリは３０％のバッテリーを使用し、コミュニケーションアプリは２０％のバッテリーを使用し、ポータルアプリは１０％のバッテリーを使用する。この場合、ユーザＵ０１は、ナビアプリやコミュニケーションアプリのバッテリー使用量が他のアプリより多いと認識するため、これらのアプリの使用を躊躇したり、アプリをアンインストールしたりする可能性がある。
【００２６】
そこで、ユーザ端末１０は、バッテリー使用状況に応じて位置情報の取得を制御する（ステップＳ２１）。例えば、ユーザ端末１０は、図２に係る第２状態に示すように、ナビアプリとコミュニケーションアプリとポータルアプリの各々のバッテリー使用状況が等しくなるよう、各々のアプリの位置情報の取得や、位置情報の管理サーバ１００への送信の回数を制御する。これにより、ユーザ端末１０は、特定のアプリが比較的多くのバッテリーを使用するといった状況を回避することができる。
【００２７】
図１及び図２を用いて説明してきたように、実施形態に係るユーザ端末１０は、ユーザ端末１０にインストール済みのアプリであって、各々がユーザ端末１０の位置情報を利用する複数のアプリに関する情報を取得する。そして、ユーザ端末１０は、取得した複数のアプリに関する情報に基づいて、複数のアプリによる位置情報の取得を制御する。
【００２８】
これにより、ユーザ端末１０は、複数のアプリが重複して位置情報を取得する処理や、管理サーバ１００に位置情報を送信する処理を回避することができる。結果として、ユーザ端末１０は、ユーザ端末１０のバッテリー等のリソースの低下や、情報処理の負荷を低減することができるため、位置情報の取得を効率よく行うことができる。
【００２９】
なお、ユーザ端末１０は、上述した処理を任意の手法で実現することができる。例えば、ユーザ端末１０は、予め上記のような取得制御処理を実行するための制御情報（スクリプト）が含まれたアプリ（ユーザ端末１０にインストールされた複数のアプリの挙動を一括で制御する制御アプリ）を実行することにより、上記の取得制御処理を実現してもよい。あるいは、ユーザ端末１０は、ＯＳに組み込まれる制御情報（スクリプト）の一つとして、上記のような取得制御処理を実行してもよい。なお、このような制御情報は、実施形態に係る取得制御プログラムに対応するものであり、例えば、ＣＳＳ（Cascading  Style  Sheets）、ＪａｖａＳｃｒｉｐｔ（登録商標）、ＨＴＭＬ、あるいは、上述した取得制御処理を記述可能な任意の言語によって実現される。以下、実施形態に係る取得制御プログラムに従って上述した取得制御処理を実行するユーザ端末１０等について、詳細に説明する。
【００３０】
〔２．取得制御システムの構成〕
次に、図３を用いて、実施形態に係る取得制御システム１の構成について説明する。図３は、実施形態に係る取得制御システム１の構成例を示す図である。図３に例示するように、実施形態に係る取得制御システム１には、ユーザ端末１０と管理サーバ１００とが含まれる。これらの各種装置は、ネットワークＮを介して、有線又は無線により通信可能に接続される。また、図３に示す取得制御システム１に含まれる各装置の数は図示したものに限られない。例えば、取得制御システム１には、複数台のユーザ端末１０や複数台の管理サーバ１００が含まれてもよい。
【００３１】
ユーザ端末１０は、上述のように、スマートフォンを含む携帯電話機や、タブレット端末や、デスクトップ型ＰＣ（Personal  Computer）や、ノート型ＰＣや、ＰＤＡ（Personal  Digital  Assistant）等の情報処理端末である。また、ユーザ端末１０には、眼鏡型や時計型の情報処理端末であるウェアラブルデバイス（wearable  device）も含まれる。さらに、ユーザ端末１０には、位置情報を取得するための情報処理機能を有する種々のスマート機器が含まれてもよい。例えば、ユーザ端末１０には、ＴＶ（Television）や冷蔵庫、掃除機などのスマート家電や、自動車などのスマートビークル（Smart  vehicle）や、ドローン（drone）、家庭用ロボットなどが含まれてもよい。なお、実施形態に係るアプリは、スマートフォン等のモバイル端末で実行されるアプリに限られず、上記したスマート家電等で実行されるアプリであってもよい。
【００３２】
ユーザ端末１０は、ユーザによる操作や、ユーザ端末１０が有する機能に応じて、自装置の位置情報を取得し、記憶する。例えば、ユーザ端末１０は、上述したＧＰＳシステムなどの外部システムと通信を行うことによって位置情報を取得する。そして、ユーザ端末１０は、取得した位置情報を管理サーバ１００に送信する。
【００３３】
管理サーバ１００は、ユーザ端末１０から取得した位置情報に基づいて各種アプリに関するサービスを提供するサーバ装置である。例えば、管理サーバ１００は、ユーザの位置情報に基づいて交通案内等を発信するナビアプリに関するサービスや、通話やメッセージのやり取りを行うコミュニケーションアプリに関するサービスや、ポータルアプリに関するポータルサービス等を提供する。なお、管理サーバ１００は、上記サービス以外にも、種々のサービスを提供してもよい。また、管理サーバ１００は、サービスに係るウェブサイトを提供するウェブサーバとしての機能を有していてもよい。例えば、管理サーバ１００は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報を含むウェブページをユーザ端末１０に配信してもよい。
【００３４】
〔３．ユーザ端末の構成〕
次に、図４を用いて、実施形態に係るユーザ端末１０の構成について説明する。図４は、実施形態に係るユーザ端末１０の構成例を示す図である。図４に示すように、ユーザ端末１０は、通信部１１と、入力部１２と、表示部１３と、検知部１４と、記憶部１５と、制御部１６とを有する。
【００３５】
（通信部１１について）
通信部１１は、ネットワークＮと有線又は無線で接続され、管理サーバ１００等との間で情報の送受信を行う。通信部１１は、例えばＮＩＣ（Network  Interface  Card）等によって実現される。
【００３６】
（入力部１２及び表示部１３について）
入力部１２は、ユーザから各種操作を受け付ける入力装置である。例えば、入力部１２は、ユーザ端末１０に備えられた操作キー等によって実現される。表示部１３は、各種情報を表示するための表示装置である。例えば、表示部１３は、液晶ディスプレイ等によって実現される。なお、ユーザ端末１０にタッチパネルが採用される場合には、入力部１２の一部と表示部１３とは一体化される。
【００３７】
（検知部１４について）
検知部１４は、ユーザ端末１０に関する各種情報を検知する。具体的には、検知部１４は、ユーザ端末１０に対するユーザの操作や、ユーザ端末１０の所在する位置情報や、ユーザ端末１０と接続されている機器に関する情報や、ユーザ端末１０における環境等を検知する。図４に示す例では、検知部１４は、操作検知部１４１と、位置検知部１４２と、外部装置検知部１４３と、環境検知部１４４とを有する。
【００３８】
（操作検知部１４１について）
操作検知部１４１は、ユーザ端末１０に対するユーザの操作を検知する。例えば、操作検知部１４１は、入力部１２に入力された情報に基づいて、ユーザの操作を検知する。すなわち、操作検知部１４１は、入力部１２に画面をタッチする操作の入力があったことや、音声の入力があったこと等を検知する。また、操作検知部１４１は、ユーザによって所定のアプリが起動されたことを検知してもよい。かかるアプリがユーザ端末１０内の撮像装置を動作させるアプリである場合、操作検知部１４１は、ユーザによって撮像機能が利用されていることを検知する。また、操作検知部１４１は、ユーザ端末１０内に備えられた加速度センサやジャイロセンサ等で検知されたデータに基づき、ユーザ端末１０自体が動かされているといった操作を検知してもよい。
【００３９】
（位置検知部１４２について）
位置検知部１４２は、ユーザ端末１０の現在位置を検知する。具体的には、位置検知部１４２は、ＧＰＳ衛星から送出される電波を受信し、受信した電波に基づいてユーザ端末１０の現在位置を示す位置（例えば、緯度及び経度）を検知する。
【００４０】
位置検知部１４２は、種々の手法により位置を検知することができる。例えば、位置検知部１４２は、ＧＰＳ衛星に限らず、ユーザ端末１０の様々な通信機能を利用して位置を検知してもよい。
【００４１】
例えば、位置検知部１４２は、ユーザ端末１０のＷｉ−Ｆｉ（登録商標）通信機能や、各通信会社が備える通信網を利用して、ユーザ端末１０の位置を検知する。具体的には、位置検知部１４２は、Ｗｉ−Ｆｉ通信等を行い、付近の基地局やアクセスポイントとの距離を測位することにより、自装置の位置を検知する。
【００４２】
また、位置検知部１４２は、ユーザ端末１０のＢｌｕｅｔｏｏｔｈ（登録商標）機能を利用して位置を検知してもよい。例えば、位置検知部１４２は、Ｂｌｕｅｔｏｏｔｈ機能によって接続されるビーコン（ｂｅａｃｏｎ）発信機と接続することにより、自装置の位置を検知する。
【００４３】
また、位置検知部１４２は、加速度センサやジャイロセンサ等を利用したＰＤＲ（Pedestrian  Dead  Reckoning）技術を利用して自装置の位置を検知してもよい。また、位置検知部１４２は、予め測定された構造物の地磁気のパターンと、自装置が備える地磁気センサとに基づいて、自装置の位置を検知してもよい。
【００４４】
また、例えば、ユーザ端末１０が駅改札や商店等で使用される非接触型ＩＣカードと同等の機能を備えている場合（もしくは、ユーザ端末１０が非接触型ＩＣカードの履歴を読み取る機能を備えている場合）、ユーザ端末１０によって駅での乗車料金の決済等が行われた情報とともに、使用された位置が記録される。位置検知部１４２は、かかる情報を取得することで、ユーザ端末１０の位置を検知してもよい。また、位置は、ユーザ端末１０が備える光学式センサや、赤外線センサ等によって検知されてもよい。
【００４５】
位置検知部１４２は、上述した手法の一つ又は組合せを用いて、自装置の位置を検知する。そして、後述する取得部１６１は、位置検知部１４２が検知した位置と、検知した時間との情報に基づいて、ユーザ端末１０の位置情報を取得する。
【００４６】
（外部装置検知部１４３について）
外部装置検知部１４３は、ユーザ端末１０に接続される外部装置を検知する。例えば、外部装置検知部１４３は、外部装置との相互の通信パケットのやり取りなどに基づいて、外部装置を検知する。そして、外部装置検知部１４３は、検知した外部装置をユーザ端末１０と接続される端末として認識する。また、外部装置検知部１４３は、外部装置との接続の種類を検知してもよい。例えば、外部装置検知部１４３は、外部装置と有線で接続されているか、無線通信で接続されているかを検知する。また、外部装置検知部１４３は、無線通信で用いられている通信方式等を検知してもよい。また、外部装置検知部１４３は、外部装置が発する電波を検知する電波センサや、電磁波を検知する電磁波センサ等によって取得される情報に基づいて、外部装置を検知してもよい。
【００４７】
（環境検知部１４４について）
環境検知部１４４は、ユーザ端末１０における環境を検知する。環境検知部１４４は、ユーザ端末１０に備えられた各種センサや機能を利用し、環境に関する情報を検知する。例えば、環境検知部１４４は、ユーザ端末１０の周囲の音を収集するマイクロフォンや、ユーザ端末１０の周囲の照度を検知する照度センサや、ユーザ端末１０の物理的な動きを検知する加速度センサ（又は、ジャイロセンサなど）や、ユーザ端末１０の周囲の湿度を検知する湿度センサや、ユーザ端末１０の所在位置における磁場を検知する地磁気センサ等を利用する。そして、環境検知部１４４は、各種センサを用いて、種々の情報を検知する。例えば、環境検知部１４４は、ユーザ端末１０の周囲における騒音レベルや、ユーザ端末１０の周囲が撮像に適する照度であるか等を検知する。さらに、環境検知部１４４は、カメラで撮影された写真や映像に基づいて周囲の環境情報を検知してもよい。
【００４８】
なお、環境検知部１４４は、ユーザ端末１０におけるリソースの状況を検知してもよい。例えば、環境検知部１４４は、リソースの状況として、ユーザ端末１０内部のハードウェアに関するリソースを検知する。例えば、環境検知部１４４は、リソースの状況として、ユーザ端末１０のバッテリー残量を検知する。また、環境検知部１４４は、各アプリのバッテリー（電力）消費量等を検知してもよい。
【００４９】
（記憶部１５について）
記憶部１５は、各種情報を記憶する。記憶部１５は、例えば、ＲＡＭ（Random  Access  Memory)、フラッシュメモリ（Flash  Memory）等の半導体メモリ素子、または、ハードディスク、光ディスク等の記憶装置によって実現される。図４に示すように、記憶部１５は、データテーブルとして、アプリテーブル１５１と、位置情報テーブル１５２とを有する。
【００５０】
（アプリテーブル１５１について）
アプリテーブル１５１は、ユーザ端末１０にインストールされたアプリに関する情報を記憶する。ここで、図５に、実施形態に係るアプリテーブル１５１の一例を示す。図５は、実施形態に係るアプリテーブル１５１の一例を示す図である。図５に示すように、アプリテーブル１５１は、「インストールアプリ数」、「アプリＩＤ」、「種別」、「位置情報取得タイミング」、「制御前のバッテリー使用割合」、「制御後のバッテリー使用割合」といった項目を有する。
【００５１】
「インストールアプリ数」は、ユーザ端末１０にインストールされているアプリの総数を示す。「アプリＩＤ」は、アプリを識別する識別情報を示す。なお、実施形態において、識別情報は、説明に用いる参照符号として用いる場合がある。例えば、アプリＩＤ「Ａ１１」で識別されるアプリは、「アプリＡ１１」と表記される場合がある。「種別」は、アプリの種別を示す。
【００５２】
「位置情報取得タイミング」は、アプリごとに設定される位置情報の取得のタイミングを示す。「制御前のバッテリー使用割合」は、実施形態に係る取得制御処理が実行される前のアプリごとのバッテリーの使用割合を示す。「制御後のバッテリー使用割合」は、実施形態に係る取得制御処理が実行された後のアプリごとのバッテリーの使用割合を示す。
【００５３】
すなわち、図５では、アプリテーブル１５１に記憶される情報の一例として、ユーザ端末１０には「２５」個のアプリがインストールされていることを示している。また、アプリＩＤ「Ａ１１」で識別されるアプリＡ１１は、種別が「ナビ」であり、位置情報取得タイミングが「１０分ごと」であることを示している。また、アプリＡ１１の制御前のバッテリー使用割合が「３０％」であったのに対して、制御後のバッテリー使用割合が「１０％」となったことを示している。
【００５４】
（位置情報テーブル１５２について）
位置情報テーブル１５２は、位置情報を記憶する。ここで、図６に、実施形態に係る位置情報テーブル１５２の一例を示す。図６は、実施形態に係る位置情報テーブル１５２の一例を示す図である。図６に示した例では、位置情報テーブル１５２は、「位置情報ＩＤ」、「位置情報取得アプリＩＤ」、「位置情報」といった項目を有する。また、「位置情報」の項目は、「取得日時」、「位置」、「精度」、「各種センサ情報」といった小項目を有する。
【００５５】
「位置情報ＩＤ」は、位置情報を識別する識別情報を示す。「位置情報取得アプリＩＤ」は、位置情報を取得したアプリを識別する識別情報を示す。なお、位置情報取得アプリＩＤは、図５で示したアプリＩＤと共通するものとする。
【００５６】
「位置情報」は、各々のアプリの制御によって検知部１４によって検知されたユーザの位置を含む情報を示す。「取得日時」は、位置がユーザ端末１０によって検知（取得）された日時を示す。「位置」は、ユーザ（言い換えればユーザ端末１０）の具体的な位置を示す。図６では、位置を「Ｇ０１」といった概念で表記しているが、実際には、位置の項目には、ユーザの位置を示す具体的な情報（例えば経度や緯度の数値等）が記憶される。
【００５７】
「精度」は、ユーザの位置を示す情報の精度を示す。実施形態では、精度は、例えば「低」、「中」、「高」の三段階で示される。精度は、例えば、ユーザ端末１０によって位置が検知された際の検知手段に基づき、ユーザの位置を特定することのできる精度に応じて記憶される。具体的には、ユーザの位置を特定する際に数十メートルから数百メートルの誤差が生じるような検知手段（例えば検知手段がＧＰＳのみであった場合等）の場合、取得された位置情報の精度は「低」となる。また、精度が「低」である位置情報と比較して精度の高い検知手段（例えば、検知手段がＷｉ−ＦｉやＧＰＳ等を組み合わせたものであった場合等）の場合、当該取得手段によって取得された位置情報の精度は「中」となる。また、精度が「中」である位置情報と比較して精度の高い検知手段（例えば、検知手段がＢｌｕｅｔｏｏｔｈ（ビーコン）を利用したものであった場合等）の場合、当該取得手段によって取得された位置情報の精度は「高」となる。なお、上記した精度の判定は一例であり、管理サーバ１００は、位置情報の検知の技術に応じて柔軟に精度の判定基準を変更してもよい。
【００５８】
「各種センサ情報」は、位置が検知された際に、各種センサによって検知された情報を示す。図６では、各種センサ情報を「Ｘ０１」といった概念で表記しているが、実際には、各種センサ情報の項目には、ユーザ端末１０の加速度や気温や湿度、周辺の音声情報等の各種センサによって取得された具体的な情報が記憶される。
【００５９】
すなわち、図６では、位置情報テーブル１５２に記憶されるデータの一例として、位置情報ＩＤ「Ｂ０１」で識別される位置情報Ｂ１１は、アプリＡ１１によって取得されたものであることを示している。また、位置情報Ｂ１１は、取得日時「Ｔ０１」において位置「Ｇ０１」にユーザＵ０１が所在し、その位置の精度は「中」であり、各種センサ情報が「Ｘ０１」であることを示している。
【００６０】
なお、図６での図示は省略したが、位置情報テーブル１５２には、位置情報とともに、ユーザを識別するための識別情報や、属性情報等が記憶されてもよい。
【００６１】
ユーザの識別情報は、例えば、管理サーバ１００が提供する各サービスにおいてユーザに共通して付与されるサービス用ＩＤ（ユーザアカウント）等である。管理サーバ１００は、ユーザを一意に識別する識別情報を利用することで、ユーザ端末１０から取得した位置情報とユーザとを対応付ける。かかるＩＤは、管理サーバ１００のみならず、管理サーバ１００と提携した事業者（所定のサービス提供者）によって発行されてもよい。これにより、管理サーバ１００は、一人のユーザが複数のユーザ端末１０を利用していたり、異なる環境でサービスにログインしていたりする場合でも、当該ユーザを一意に特定して位置情報を取得することができる。なお、管理サーバ１００は、ユーザの識別情報として、サービスを利用した際のクッキー（Cookie）情報や、端末固有の端末ＩＤ等を利用してもよい。
【００６２】
また、ユーザの属性情報は、ユーザの年齢や性別や職業や年収や居住地等の種々のユーザの属性を示す情報である。また、位置情報テーブル１５２には、各アプリにおけるユーザの利用履歴等が記憶されてもよい。
【００６３】
（制御部１６について）
制御部１６は、例えば、コントローラ（controller）であり、ＣＰＵ（Central  Processing  Unit）やＭＰＵ（Micro  Processing  Unit）等によって、ユーザ端末１０内部の記憶装置に記憶されている各種プログラム（例えば、実施形態に係る取得制御プログラム）がＲＡＭを作業領域として実行されることにより実現される。また、制御部１６は、コントローラであり、例えば、ＡＳＩＣ（Application  Specific  Integrated  Circuit）やＦＰＧＡ（Field  Programmable  Gate  Array）等の集積回路により実現される。
【００６４】
図４に示すように、制御部１６は、取得部１６１と、取得制御部１６２と、送信部１６３とを有し、以下に説明する情報処理の機能や作用を実現または実行する。なお、制御部１６の内部構成は、図４に示した構成に限られず、後述する情報処理を行う構成であれば他の構成であってもよい。また、制御部１６が有する各処理部の接続関係は、図４に示した接続関係に限られず、他の接続関係であってもよい。
【００６５】
上述のように、制御部１６に係る各処理部は、制御情報（例えば、実施形態に係る取得制御プログラム）がＲＡＭを作業領域として実行されることにより実現される。すなわち、取得部１６１が実行する処理は、制御情報が実行させる取得手順により実現され、取得制御部１６２が実行する処理は、制御情報が実行させる取得制御手順により実現され、送信部１６３が実行する処理は、制御情報が実行させる送信手順により実現される。
【００６６】
（取得部１６１について）
取得部１６１は、各種情報を取得する。例えば、取得部１６１は、各アプリの設定に基づいて検知部１４を制御することにより、検知部１４によって検知される各種情報を取得する。例えば、取得部１６１は、位置検知部１４２によって検知された情報に基づいて、ユーザ端末１０の位置情報を取得する。なお、取得部１６１は、位置情報に限らず、ユーザ端末１０の周囲の環境に関する情報等の各種センサ情報を含む、ユーザ端末１０のコンテキストに関する情報を取得してもよい。
【００６７】
また、取得部１６１は、ユーザ端末１０にインストール済みのアプリであって、各々がユーザ端末１０の位置情報を利用する複数のアプリに関する情報を取得する。位置情報を利用するアプリとは、例えば、ユーザの位置を検知させる機能を有するアプリであり、位置情報を利用して種々の機能を実行するアプリである。
【００６８】
具体的には、取得部１６１は、複数のアプリに関する情報として、各々のアプリに設定された位置情報取得のタイミングを取得する。また、取得部１６１は、複数のアプリに関する情報として、各々のアプリの電力消費（使用）量を取得する。かかる処理は、例えば、ユーザ端末１０内の各アプリの電力消費量を調べる機能を有するアプリによって行われてもよいし、ユーザ端末１０のＯＳの機能によって行われてもよい。
【００６９】
（取得制御部１６２について）
取得制御部１６２は、取得部１６１によって取得された複数のアプリに関する情報に基づいて、複数のアプリによる位置情報の取得を制御する。
【００７０】
例えば、取得制御部１６２は、各々のアプリに設定された位置情報取得のタイミングに基づいて、複数のアプリによる位置情報の取得を制御する。一例として、取得制御部１６２は、図１に示したように、各々のアプリが位置情報を取得するタイミングが略一律になるよう、複数のアプリによる位置情報の取得を制御する。
【００７１】
また、取得制御部１６２は、複数のアプリの各々の電力消費量に基づいて、複数のアプリによる位置情報の取得を制御してもよい。一例として、取得制御部１６２は、図２に示したように、各々のアプリの電力消費量が略一律になるよう、複数のアプリによる位置情報の取得を制御する。
【００７２】
また、取得制御部１６２は、ユーザ端末１０にインストールされたアプリの数に基づいて、複数のアプリによる位置情報の取得を制御してもよい。例えば、取得制御部１６２は、インストールされたアプリの数に基づいて、各々のアプリが位置情報を取得する回数を略均等になるよう、複数のアプリによる位置情報の取得を制御する。
【００７３】
（送信部１６３について）
送信部１６３は、各種情報を送信する。例えば、送信部１６３は、取得部１６１によって取得された位置情報を管理サーバ１００に送信する。具体的には、送信部１６３は、検知部１４によって検知されたユーザの位置と、検知した日時と、ユーザを識別するための識別情報とを対応付けた位置情報を管理サーバ１００に送信する。
【００７４】
なお、送信部１６３は、取得制御部１６２と同様、複数のアプリに関する情報に基づいて、複数のアプリによって取得された位置情報の管理サーバ１００への送信を制御する。これは、情報処理の負荷や電力の消費等のユーザ端末１０のリソースの消費量が、位置情報の取得処理のみならず、取得した位置情報を管理サーバ１００へ送信する送信処理によっても影響を受けるからである。すなわち、ユーザ端末１０は、位置情報の取得制御処理のみならず、取得した位置情報を送信処理の制御によっても、リソースを節約することが可能である。
【００７５】
例えば、送信部１６３は、複数のアプリによって取得された位置情報のうち、管理サーバ１００へ送信する情報量を制御する。一例として、送信部１６３は、取得部１６１によって取得された位置情報の全てを管理サーバ１００へ送信するのではなく、一部の情報を管理サーバ１００へ送信するよう制御する。具体的には、送信部１６３は、精度の高い位置情報（例えば、ユーザの位置を特定する際の誤差が数メートル単位である情報）が取得された場合であっても、やや精度を抑えた位置情報（例えば、ユーザの位置を特定する際の誤差が数十メートル単位である情報）を管理サーバ１００へ送信する。
【００７６】
また、送信部１６３は、複数のアプリによって取得された位置情報を管理サーバ１００へ送信する頻度を制御してもよい。一例として、送信部１６３は、取得部１６１によって取得された位置情報の全てを管理サーバ１００へ送信するのではなく、一部の位置情報を抽出して管理サーバ１００へ送信するよう制御する。具体的には、送信部１６３は、１０分ごとに取得部１６１に位置情報が取得された場合であっても、管理サーバ１００へ位置情報を送信するタイミングが「２０分ごと」になるよう制御してもよい。
【００７７】
〔４．管理サーバの構成〕
次に、図７を用いて、実施形態に係る管理サーバ１００の構成について説明する。図７は、実施形態に係る管理サーバ１００の構成例を示す図である。図７に示すように、管理サーバ１００は、通信部１１０と、記憶部１２０と、制御部１３０とを有する。なお、管理サーバ１００は、管理サーバ１００を利用する管理者等から各種操作を受け付ける入力部（例えば、キーボードやマウス等）や、各種情報を表示するための表示部（例えば、液晶ディスプレイ等）を有してもよい。
【００７８】
（通信部１１０について）
通信部１１０は、例えばＮＩＣ等によって実現される。通信部１１０は、ネットワークＮと有線又は無線で接続され、ネットワークＮを介して、ユーザ端末１０等との間で情報の送受信を行う。
【００７９】
（記憶部１２０について）
記憶部１２０は、例えば、ＲＡＭ、フラッシュメモリ等の半導体メモリ素子、または、ハードディスク、光ディスク等の記憶装置によって実現される。記憶部１２０は、ユーザ情報記憶部１２１と、位置情報記憶部１２２とを有する。
【００８０】
（ユーザ情報記憶部１２１について）
ユーザ情報記憶部１２１は、ユーザに関する情報を記憶する。ここで、図８に、実施形態に係るユーザ情報記憶部１２１の一例を示す。図８は、実施形態に係るユーザ情報記憶部１２１の一例を示す図である。図８に示すように、ユーザ情報記憶部１２１は、「ユーザＩＤ」、「端末ＩＤ」、「属性情報」、「利用アプリ情報」といった項目を有する。
【００８１】
「ユーザＩＤ」は、ユーザを識別する識別情報を示す。「端末ＩＤ」は、ユーザが利用するユーザ端末１０を識別する識別情報を示す。なお、各ユーザは、複数の端末を所有していてもよい。
【００８２】
「属性情報」は、ユーザの属性に関する情報を示す。図８では、属性情報を「Ｄ０１」といった概念で表記しているが、実際には、属性情報の項目には、ユーザの年齢や性別や職業や年収や居住地等の種々の具体的な情報が記憶される。
【００８３】
「利用アプリ情報」は、ユーザが利用しているアプリの情報を示す。図８では、利用アプリ情報を「Ｅ０１」といった概念で表記しているが、実際には、利用アプリ情報の項目には、ユーザが利用中のアプリの数や種別や、各アプリの利用頻度等の種々の具体的な情報が記憶される。なお、ユーザが利用しているアプリとは、管理サーバ１００が提供するアプリのみならず、管理サーバ１００が発行したユーザＩＤと共通したユーザＩＤを利用する他の事業者から提供されたアプリを含んでもよい。
【００８４】
すなわち、図８では、ユーザ情報記憶部１２１に記憶されるデータの一例として、ユーザＩＤ「Ｕ０１」によって示されるユーザＵ０１が、端末ＩＤ「Ｃ０１」で識別されるユーザ端末１０を利用していることを示している。また、ユーザＵ０１の属性情報が「Ｄ０１」であり、利用アプリ情報が「Ｅ０１」であることを示している。
【００８５】
なお、図８での図示は省略したが、ユーザ情報記憶部１２１には、アプリの利用履歴等に基づいて、ユーザの興味関心情報や、ユーザの行動履歴等が記憶されてもよい。例えば、興味関心情報は、種々のアプリの利用を介して、管理サーバ１００によってユーザに設定される情報（ユーザの購買履歴や検索履歴から、ユーザが興味関心を抱いていると想定されるカテゴリや情報の内容等）である。また、行動履歴情報は、種々のアプリにおけるユーザの行動履歴（ナビアプリに基づく移動履歴や目的地の履歴、ウェブページ等の閲覧履歴や、商品の購買履歴や、検索履歴等）である。
【００８６】
（位置情報記憶部１２２について）
位置情報記憶部１２２は、ユーザ端末１０から送信された位置情報を記憶する。ここで、図９に、実施形態に係る位置情報記憶部１２２の一例を示す。図９は、実施形態に係る位置情報記憶部１２２の一例を示す図である。図９に示した例では、位置情報記憶部１２２は、「ユーザＩＤ」、「利用アプリ情報」といった項目を有する。また、「位置情報」の項目は、「取得日時」、「位置」、「精度」、「各種センサ情報」といった小項目を有する。
【００８７】
「ユーザＩＤ」及び「利用アプリ情報」は、図８に示した同一の項目に対応する。「位置情報」、「取得日時」、「位置」、「精度」及び「各種センサ情報」は、図６に示した同一の項目に対応する。
【００８８】
すなわち、図９では、位置情報記憶部１２２に記憶されるデータの一例として、ユーザＩＤ「Ｕ０１」によって識別されるユーザＵ０１の利用アプリ情報は「Ｅ０１」であることを示している。また、ユーザＵ０１から送信された位置情報の一例として、取得日時「Ｔ０１」において位置「Ｇ０１」にユーザＵ０１が所在し、その位置の精度は「中」であり、各種センサ情報が「Ｘ０１」であることを示している。かかる情報は、管理サーバ１００が、ユーザＵ０１から取得した位置情報を、利用アプリ情報「Ｅ０１」に含まれる各アプリに対応するサービスに利用することを示している。
【００８９】
なお、図９での図示は省略したが、位置情報記憶部１２２には、位置情報とともに、ユーザの属性情報等が記憶されてもよい。具体的には、位置情報記憶部１２２は、属性情報として、ユーザの年齢や性別や職業や年収や居住地等の種々の具体的な情報を記憶する。また、位置情報記憶部１２２には、アプリの利用履歴等に基づいて、ユーザの興味関心情報や、ユーザの行動履歴等が記憶されてもよい。
【００９０】
（制御部１３０について）
制御部１３０は、例えば、コントローラであり、ＣＰＵやＭＰＵ等によって、管理サーバ１００内部の記憶装置に記憶されている各種プログラム（推定プログラムの一例に相当）がＲＡＭを作業領域として実行されることにより実現される。また、制御部１３０は、コントローラであり、例えば、ＡＳＩＣやＦＰＧＡ等の集積回路により実現される。
【００９１】
図７に示すように、制御部１３０は、取得部１３１と、管理部１３２と、送信部１３３とを有し、以下に説明する情報処理の機能や作用を実現または実行する。なお、制御部１３０の内部構成は、図７に示した構成に限られず、後述する情報処理を行う構成であれば他の構成であってもよい。また、制御部１３０が有する各処理部の接続関係は、図７に示した接続関係に限られず、他の接続関係であってもよい。
【００９２】
（取得部１３１について）
取得部１３１は、ユーザ端末１０から位置情報を取得する。例えば、取得部１３１は、ユーザ端末１０にインストールされた各アプリの制御に従ってユーザ端末１０によって取得され、ユーザ端末１０から送信される位置情報を取得する。
【００９３】
なお、取得部１３１は、位置情報とともに、位置情報に対応するセンサ情報を取得してもよい。センサ情報とは、ユーザ端末１０の検知部１４によって検知される各種情報である。例えば、ユーザ端末１０は、ユーザの位置を検知するとともに、周囲の音声情報や加速度、温度や湿度等を検知する。取得部１３１は、このように位置とともに検知されたセンサ情報をユーザ端末１０から取得する。
【００９４】
また、取得部１３１は、取得した位置情報において、位置が検知された精度を取得してもよい。上述のように、ユーザ端末１０は、種々の機能（取得手段）を用いて位置を検知する。そして、一般に、ユーザの位置を示す情報は、検知に用いられる機能によって精度が異なる。例えば、ＧＰＳでユーザの位置を検知する場合と、Ｗｉ−Ｆｉによる通信機能を用いてユーザの位置を検知する場合と、ビーコンによる通信機能を用いてユーザの位置を検知する場合とでは、ユーザの位置を特定する精度が異なる。例えば、ビーコンによる通信機能を用いてユーザの位置を検知する場合、建物内のどこにユーザが所在しているかといった、数メートル範囲の精度でユーザの位置を特定可能である。一方で、ＧＰＳでユーザの位置を検知する場合、建物内のどこにユーザが所在しているかといった数メートル範囲の精度でユーザの位置を特定することは難しい。一般に、精度の高い位置情報を利用した方が、よりユーザが移動した地形や経路等を正確に特定できるため、よりユーザビリティの高いサービスの提供を行うことができる。このため、管理サーバ１００は、例えば精度の高い位置情報を優先的に取得するようにしてもよい。
【００９５】
また、取得部１３１は、ユーザ端末１０から位置に関する情報を取得する際に、ユーザ端末１０が位置を検知した場合の検知手段について取得してもよい。そして、取得部１３１は、位置情報として、位置と検知手段（言い換えれば、精度）とを対応付けた情報を取得する。この場合、取得部１３１は、検知手段と精度との関係性を定義した定義情報等を予め取得していてもよい。具体的には、取得部１３１は、管理サーバ１００の管理者等から、ビーコン機能を利用して検知された位置情報の精度が「高」である、といった定義情報を取得しておく。そして、取得部１３１は、位置に関する情報と検知手段とをユーザ端末１０から取得した場合に、当該検知手段に応じた精度の情報を位置と対応付け、対応付けた情報を位置情報として取得する。
【００９６】
また、取得部１３１は、位置情報とともに、ユーザに関する各種情報を取得してもよい。例えば、取得部１３１は、利用するアプリを介してユーザが各サービスに登録した情報に基づいて、ユーザの属性情報を取得する。また、取得部１３１は、アプリにおけるユーザの興味関心情報や、ユーザの行動履歴情報を取得してもよい。取得部１３１は、種々の既存の技術（例えば、ユーザの興味関心や行動に基づいて広告を配信するための広告配信技術等）を利用して、種々の情報を取得してもよい。また、取得部１３１は、曜日情報を含めた日時情報とともに位置情報を取得するようにしてもよい。
【００９７】
また、取得部１３１は、位置情報として、ユーザ端末１０と他の装置における通信の状況を取得してもよい。具体的には、取得部１３１は、ユーザ端末１０がアクセスポイントを介してインターネットなどにアクセスしている通信状況を取得する。この場合、取得部１３１は、アクセスポイントとの通信状況から検出される情報を位置情報として取得する。具体的には、取得部１３１は、ユーザ端末１０と通信中のアクセスポイントの設置位置を割り出し、割り出したアクセスポイントの設置位置に基づいて、当該ユーザ端末１０の位置情報として取得するようにしてもよい。また、取得部１３１は、駅改札の装置とユーザ端末１０との通信を検出することでユーザ端末１０の位置を取得したり、ユーザ端末１０のＩＰアドレスに基づいて位置を取得したりしてもよい。
【００９８】
（管理部１３２について）
管理部１３２は、取得部１３１によって取得された位置情報を管理する。例えば、管理部１３２は、位置情報の送信元であるユーザの識別情報と、取得した位置情報とを対応付けて記憶部１２０内に蓄積する。
【００９９】
（送信部１３３について）
送信部１３３は、各種情報を送信する。例えば、送信部１３３は、位置情報を利用するアプリを実行しているユーザ端末１０に対して、当該アプリに関する情報を送信する。具体的には、送信部１３３は、ナビアプリを利用するユーザから位置情報を取得した場合、当該位置情報に対応する地図情報や、ナビアプリで表示する経路情報等をユーザ端末１０に送信する。
【０１００】
〔５．処理手順〕
次に、図１０を用いて、実施形態に係るユーザ端末１０による処理の手順について説明する。図１０は、実施形態に係る処理手順を示すフローチャートである。
【０１０１】
図１０に示すように、ユーザ端末１０は、アプリに関する情報を取得する（ステップＳ１０１）。そして、ユーザ端末１０は、各々のアプリの位置情報取得タイミングを参照する（ステップＳ１０２）。
【０１０２】
続けて、ユーザ端末１０は、位置情報取得タイミングを制御する（ステップＳ１０３）。例えば、ユーザ端末１０は、各々のアプリが略一律に位置情報を取得するよう、位置情報取得のタイミングを制御する。あるいは、ユーザ端末１０は、各々のアプリの電力消費量が略一律になるよう、位置情報取得のタイミングを制御する。
【０１０３】
〔６．変形例〕
上述した実施形態に係る処理は、上記実施形態以外にも種々の異なる形態にて実施されてよい。以下では、取得制御システム１の他の実施形態について説明する。
【０１０４】
〔６−１．管理サーバによる制御〕
上記実施形態では、ユーザ端末１０が、位置情報を取得する処理や送信する処理の情報量や頻度を制御する例を示した。しかし、かかる制御は、管理サーバ１００によって実行されてもよい。
【０１０５】
例えば、管理サーバ１００は、実施形態に係る取得制御プログラムに対応する制御情報をユーザ端末１０に送信する。そして、ユーザ端末１０は、かかる制御情報に従い、実施形態に係る取得制御処理を実行する。かかる構成によれば、アプリを提供したりアプリに関するサービスを実施したりする管理サーバ１００側が、ユーザ端末１０における位置情報の取得処理や送信処理を適切に管理することができる。
【０１０６】
〔６−２．リソース〕
上記実施形態では、ユーザ端末１０が、リソースの状況として、情報処理の負荷やバッテリーの使用量等を検知する例を示した。しかし、ユーザ端末１０は、リソースとして、上記の例に限られず、種々の情報を検知してもよい。例えば、ユーザ端末１０は、自装置のＣＰＵやメモリに関する情報を取得してもよい。そして、ユーザ端末１０は、自装置のＣＰＵやメモリに適合するように、位置情報の取得処理を制御してもよい。例えば、ユーザ端末１０は、自装置のＣＰＵやメモリの動作が最適化するように、複数のアプリによる位置情報の取得処理や送信処理を制御してもよい。
【０１０７】
〔６−３．位置情報〕
上記実施形態では、位置情報は、ユーザ端末１０が取得するＧＰＳ情報や、アクセスポイント等から取得することを説明した。しかし、管理サーバ１００は、異なる情報からユーザ端末１０の位置情報を取得してもよい。
【０１０８】
例えば、管理サーバ１００は、ユーザが各種サービスを利用した履歴に基づいて、ユーザ端末１０の位置情報を取得してもよい。具体的には、管理サーバ１００は、路線検索サービスにおいて頻繁にユーザ端末１０から入力される駅を、ユーザの最寄り駅と推定する。そして、管理サーバ１００は、最寄り駅を含む所定範囲をユーザ端末１０が所在する地域として取得してもよい。かかる処理によれば、管理サーバ１００は、ユーザ端末１０が位置情報を取得する機能を有していない場合であっても、ユーザ端末１０の位置情報を取得することができる。
【０１０９】
〔６−４．ユーザ端末の構成〕
上記実施形態では、ユーザ端末１０の構成例について図４を用いて説明した。しかし、ユーザ端末１０は、図４で例示した全ての処理部を備えることを必ずしも要しない。例えば、ユーザ端末１０は、入力部１２や表示部１３を必ずしも備えていなくてもよい。また、ユーザ端末１０は、２以上の機器に分離されて図４を示す構成が実現されてもよい。例えば、ユーザ端末１０は、少なくとも検知部１４と取得部１６１とを有する検知装置と、少なくとも通信部１１を有する通信装置とが分離された構成を有する、２台以上の機器により実現されてもよい。
【０１１０】
〔６−５．制御情報〕
上記実施形態では、ユーザ端末１０が、実施形態に係る取得制御プログラムが記載された制御情報に従って取得制御処理を実行する例を示した。ここで、制御情報は、ユーザ端末１０が実行するアプリに含まれてもよいし、ウェブブラウザソフトウェアの一機能として含まれていてもよいし、ユーザ端末１０で表示しようとするアプリに含まれていてもよい。すなわち、制御情報の取得元や配信元は、ユーザ端末１０の行う取得制御処理の結果には影響しない。
【０１１１】
〔６−６．位置情報の取得〕
上記実施形態では、ユーザ端末１０で起動される各々のアプリが位置情報を取得する例を示した。ここで、各アプリが位置情報を取得する際の、位置を示す情報を検知する精度や、位置情報を取得する頻度は、各々のアプリによって、適宜選択されてもよい。
【０１１２】
この場合、ユーザ端末１０は、例えば、いずれのアプリが位置情報を取得する順番であるかを制御する。そして、各アプリは、位置情報を取得する順番である時間帯（例えば、１５分間など）においては、予め設定されたアプリごとの頻度や精度に基づいて位置情報の取得を行う。例えば、一のアプリは、１０秒に１回の頻度で、１００メートル程度の誤差を含む精度で位置情報を取得する。そして、他のアプリは、５秒に１回の頻度で、５００メートル程度の誤差を含む精度で位置情報を取得するなど、各々のアプリが、各々に設定されている情報に基づいて位置情報を取得するようにしてもよい。
【０１１３】
そして、ユーザ端末１０は、これら各アプリに取得された位置情報について、取得された頻度や精度で管理サーバ１００に送信してもよいし、送信する際に、頻度や精度のレベルを共通化させて送信してもよい。
【０１１４】
なお、ユーザ端末１０は、予め統一されたレベルの頻度や精度に基づいて各アプリが位置情報を取得するよう制御してもよい。このように、ユーザ端末１０は、各アプリが実行する取得処理について、柔軟に仕様の変更を行うことができる。これにより、ユーザ端末１０は、位置情報を取得する頻度や精度が異なるアプリが多数インストールされた場合であっても、支障なく実施形態に係る取得制御処理を実行することができる。
【０１１５】
〔６−７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図４に示した取得制御部１６２と送信部１６３とは統合されてもよい。
【０１１７】
また、上述してきた実施形態及び変形例は、処理内容を矛盾させない範囲で適宜組み合わせることが可能である。
【０１１８】
〔７．ハードウェア構成〕
また、上述してきた実施形態に係るユーザ端末１０や管理サーバ１００は、例えば図１１に示すような構成のコンピュータ１０００によって実現される。以下、ユーザ端末１０を例に挙げて説明する。図１１は、ユーザ端末１０の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１９】
ＣＰＵ１１００は、ＲＯＭ１３００又はＨＤＤ１４００に格納されたプログラム（例えば、実施形態に係る取得制御プログラム）に基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２０】
ＨＤＤ１４００は、ＣＰＵ１１００によって実行されるプログラム、及び、かかるプログラムによって使用されるデータ等を記憶する。通信インターフェイス１５００は、通信網５００（図３に示したネットワークＮに対応する）を介して他の機器からデータを受信してＣＰＵ１１００へ送り、また、通信網５００を介してＣＰＵ１１００が生成したデータを他の機器へ送信する。
【０１２１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１２２】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２３】
例えば、コンピュータ１０００が実施形態に係るユーザ端末１０として機能する場合、コンピュータ１０００のＣＰＵ１１００は、ＲＡＭ１２００上にロードされたプログラムを実行することにより、制御部１６の機能を実現する。また、ＨＤＤ１４００には、ユーザ端末１０が備える記憶部１５内のデータが格納される。コンピュータ１０００のＣＰＵ１１００は、これらのプログラムを記録媒体１８００から読み取って実行するが、他の例として、他の装置から通信網５００を介してこれらのプログラムを取得してもよい。
【０１２４】
〔８．効果〕
上述したように、実施形態に係る取得制御プログラムは、端末装置（実施形態ではユーザ端末１０）に、取得手順と、取得制御手順とを実行させる。取得手順は、端末装置にインストール済みのアプリケーションであって、各々が当該端末装置の位置情報を利用する複数のアプリケーションに関する情報を取得する。取得制御手順は、取得手順によって取得された複数のアプリケーションに関する情報に基づいて、当該複数のアプリケーションによる位置情報の取得を制御する。
【０１２５】
このように、実施形態に係る取得制御プログラムは、複数のアプリが重複して位置情報を取得する処理を回避することによって、位置情報の取得を効率よく行うことができる。
【０１２６】
また、取得手順は、複数のアプリケーションに関する情報として、各々のアプリケーションに設定された位置情報取得のタイミングを取得する。取得制御手順は、各々のアプリケーションに設定された位置情報取得のタイミングに基づいて、当該複数のアプリケーションによる位置情報の取得を制御する。
【０１２７】
このように、実施形態に係る取得制御プログラムは、各々のアプリが位置情報を取得するタイミングに基づいて取得処理を制御することにより、位置情報の取得を効率よく行うことができる。
【０１２８】
また、取得制御手順は、複数のアプリケーションの各々の電力消費量に基づいて、当該複数のアプリケーションによる位置情報の取得を制御する。
【０１２９】
このように、実施形態に係る取得制御プログラムは、各々のアプリの電力消費量に基づいて取得処理を制御することにより、端末装置のバッテリー等のリソースの低下を抑制したり、特定のアプリが電力を多大に消費すること等を防止したりすることができる。
【０１３０】
また、取得制御手順は、端末装置にインストールされたアプリケーションの数に基づいて、複数のアプリケーションによる位置情報の取得を制御する。
【０１３１】
このように、実施形態に係る取得制御プログラムは、アプリの数に基づいて取得処理を制御することにより、各々の端末装置の状態に応じた、効率の良い位置情報の取得処理を行うことができる。
【０１３２】
また、実施形態に係る取得制御プログラムは、複数のアプリケーションに関する情報に基づいて、当該複数のアプリケーションによって取得された位置情報のサーバへの送信を制御する送信手順をさらに端末装置に実行させる。
【０１３３】
このように、実施形態に係る取得制御プログラムは、取得処理のみならず、サーバへの位置情報の送信を制御してもよい。これにより、取得制御プログラムは、端末装置の処理負荷を軽減させたり、バッテリー等のリソースの低下を抑制したりすることができる。
【０１３４】
また、送信手順は、複数のアプリケーションによって取得された位置情報のうち、サーバへ送信する情報量を制御する。
【０１３５】
このように、実施形態に係る取得制御プログラムは、サーバへ送信する情報量（例えば位置情報の精度や、位置情報とともに送信するセンサ情報等）を制御することにより、端末装置の処理負荷を軽減させることができる。
【０１３６】
また、送信手順は、複数のアプリケーションによって取得された位置情報をサーバへ送信する頻度を制御する。
【０１３７】
このように、実施形態に係る取得制御プログラムは、位置情報をサーバへ送信する頻度を制御することで、端末装置の処理負荷を軽減させることができる。
【０１３８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１３９】
また、上述してきた「部（section、module、unit）」は、「手段」や「回路」などに読み替えることができる。例えば、取得部は、取得手段や取得回路に読み替えることができる。
【符号の説明】
【０１４０】
１  取得制御システム
１０  ユーザ端末
１５  記憶部
１５１  アプリテーブル
１５２  位置情報テーブル
１６  制御部
１６１  取得部
１６２  取得制御部
１６３  送信部
１００  管理サーバ
【図１】
2019128156.tif 000003
【図２】
2019128156.tif 000004
【図３】
2019128156.tif 000005
【図４】
2019128156.tif 000006
【図５】
2019128156.tif 000007
【図６】
2019128156.tif 000008
【図７】
2019128156.tif 000009
【図８】
2019128156.tif 000010
【図９】
2019128156.tif 000011
【図１０】
2019128156.tif 000012
【図１１】
2019128156.tif 000013